(57)【要約】      （修正有）【課題】撮像装置において、カバーの境目に隙間が存在する場合、筐体の外部から隙間を介して脚座が見えてしまい、撮像装置の外観品質が低下するという問題に対し、外観品質を向上可能な筐体構造及び撮像装置を提供する。【解決手段】デジタルカメラにおいて、第１フレーム５３は、対向面５３１Ａに対して傾斜するとともに隙間Ｑに対向する第１斜面Ｓ１及び第２斜面Ｓ２を有するＶ溝５３１Ｃを有する。Ｖ溝は、隙間から入射する光を筐体内部に向けて反射する。すなわち、第１斜面あるいは第２斜面に入射した光は、第１内面１３Ａあるいは第２内面２３Ａに向かって反射される。【選択図】図６
2012133304.tif 000002
【特許請求の範囲】
【請求項１】
第１内面を有する第１カバーと、隙間を介して前記第１カバーと突き合わされ、前記隙間を介して前記第１内面に連なる第２内面を有する第２カバーと、を含む筐体と、
前記筐体に内蔵されており、前記第１内面及び前記第２内面に対向する対向面と、前記対向面に対して傾斜するとともに前記隙間と向かい合う斜面を有する反射部と、を含む内蔵部材と、
を備える筐体構造。
【請求項２】
前記反射部は、前記対向面に対して凹んでいる凹部である、
請求項１に記載の筐体構造。
【請求項３】
前記反射部は、前記対向面に対して突出している凸部である、
請求項１に記載の筐体構造。
【請求項４】
前記反射部は、前記対向面に垂直な方向から見た場合に、前記隙間に沿って形成されている、
請求項２又は３に記載の筐体構造。
【請求項５】
前記隙間の短手方向における前記反射部の幅は、前記短手方向における前記隙間の幅よりも大きい、
請求項１乃至４のいずれかに記載の筐体構造。
【請求項６】
前記反射部は、前記対向面に垂直かつ前記短手方向に沿った断面において、前記隙間の全体と前記対向面に垂直な方向で重なっている、
請求項５に記載の筐体構造。
【請求項７】
前記隙間の長手方向における前記反射部の長さは、前記長手方向における前記隙間の長さよりも大きい、
請求項１乃至６のいずれかに記載の筐体構造。
【請求項８】
前記反射部は、前記対向面に垂直かつ前記長手方向に沿った断面において、前記隙間の全体と前記対向面に垂直な方向で重なっている、
請求項７に記載の筐体構造。
【請求項９】
前記内蔵部材は、前記筐体を支持する脚部材を装着するための脚座を有する、
請求項１乃至８のいずれかに記載の筐体構造。
【請求項１０】
前記内蔵部材は、前記第１内面及び前記第２内面に沿って配置される板状のフレームである、
請求項１乃至９のいずれかに記載の筐体構造。
【請求項１１】
請求項１乃至１０のいずれかに記載の筐体構造と、
前記筐体に内蔵され、光を電気信号に変換する撮像素子と、
を備える撮像装置。
【発明の詳細な説明】
【技術分野】
【０００１】
本発明は、複数のカバーによって構成される筐体を備える筐体構造、及びその筐体構造を備える撮像装置に関する。
【背景技術】
【０００２】
従来、第１カバーと第１カバーに突き合わされる第２カバーとによって構成される筐体と、筐体内に配置され第１カバーと第２カバーの境目に対向する脚座と、を備える撮像装置が知られている（例えば、特許文献１参照）。特許文献１に記載の撮像装置において、脚座は、第１カバーの第１内面と第２カバーの第２内面とに対向する対向面を有している。
【先行技術文献】
【特許文献】
【０００３】
【特許文献１】特開２００７−３６４８号公報
【発明の概要】
【発明が解決しようとする課題】
【０００４】
しかしながら、特許文献１に記載の撮像装置では、第１カバーと第２カバーの境目に隙間が存在する場合、筐体の外部から隙間を介して脚座が見えてしまう。具体的には、隙間から筐体の内部に入射する光が、脚座の対向面に反射されることによって、隙間から筐体の外部に出射されてしまう。そのため、撮像装置の外観品質が低下するという問題がある。
【０００５】
本発明は、上述の状況に鑑みてなされたものであり、外観品質を向上可能な筐体構造及び撮像装置を提供することを目的とする。
【課題を解決するための手段】
【０００６】
本発明に係る筐体構造は、筐体と、筐体に内蔵される内蔵部材と、を備える。筐体は、第１内面を有する第１カバーと、隙間を介して第１カバーと突き合わされ、隙間を介して第１内面に連なる第２内面を有する第２カバーと、を含む。内蔵部材は、第１内面及び第２内面に対向する対向面と、対向面に対して傾斜するとともに隙間に対向する斜面を有する反射部と、を含む。
【発明の効果】
【０００７】
本発明によれば、外観品質を向上可能な筐体構造及び撮像装置を提供することができる。
【図面の簡単な説明】
【０００８】
【図１】実施形態に係る撮像装置１００の斜視図である。
【図２】実施形態に係るデジタルカメラ１００の分解斜視図である。
【図３】実施形態に係るデジタルカメラ１００の底面図である。
【図４】実施形態に係る第１フレーム５３を反対面側から見た斜視図である。
【図５】実施形態に係る第１フレーム５３を対向面側から見た斜視図である。
【図６】図３のＡ−Ａ切断線における断面図である。
【図７】図３の部分拡大図である。
【図８】実施形態に係る第１フレーム５３の構成を示す断面図である。
【図９】実施形態に係る第１フレーム５３の構成を示す断面図である。
【図１０】実施形態に係る第１フレーム５３の構成を示す断面図である。
【図１１】実施形態に係る第１フレーム５３の構成を示す断面図である。
【図１２】実施形態に係る第１フレーム５３の構成を示す断面図である。
【発明を実施するための形態】
【０００９】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１０】
なお、以下の実施形態では、撮像装置としてデジタルカメラを例に挙げて説明する。以下の説明では、通常姿勢（以下、横撮り姿勢ともいう）のデジタルカメラを基準として、被写体に向かう方向を「前方」、被写体の反対に向かう方向を「後方」、鉛直上方を「上方」、鉛直下方を「下方」、被写体に正対して右向きを「右方」、被写体に正対して左向きを「左方」、と表現する。
【００１１】
（デジタルカメラ１００の全体構成）
実施形態に係るデジタルカメラ１００の全体構成について、図面を参照しながら説明する。図１は、実施形態に係るデジタルカメラ１００の斜視図である。図２は、実施形態に係るデジタルカメラ１００の分解斜視図である。
【００１２】
図１及び図２に示すように、デジタルカメラ１００は、筐体１と、シャッターボタン２と、交換レンズ３と、前カバー１０と、後カバー２０と、上カバー３０と、マウントユニット４０と、バッテリーユニット５０と、基板ユニット６０と、を備える。
【００１３】
筐体１は、前カバー１０と、後カバー２０と、上カバー３０によって構成される。筐体１は、内部に形成される収容室において、マウントユニット４０、バッテリーユニット５０、基板ユニット６０を内蔵する。
【００１４】
シャッターボタン２は、被写体を撮像するためのユーザ操作を受け付ける。シャッターボタン２は、ユーザによって押下される。
【００１５】
交換レンズ３は、マウントユニット４０に取り付けられる。これにより、基板ユニット６０と交換レンズ３との間における制御信号（例えば、交換レンズ３の固有情報や交換レンズ３の動作制御情報）の送受信が可能となる。
【００１６】
前カバー１０は、前板１１と、第１側板１２と、第１底板１３と、を有する。前板１１は、バッテリーユニット５０の前方に配置される。第１側板１２は、撮影時にユーザの左手で把持される。第１底板１３は、第１内面１３Ａと第１凹部１３Ｂとを有する。第１内面１３Ａは、筐体１の内部に形成される収容室の底面を形成する。第１凹部１３Ｂは、平面視において半円状に形成される切り欠きである。第１凹部１３Ｂは、後述する脚座５３４（図３参照）の下端部に嵌め合わせられる。
【００１７】
後カバー２０は、後板２１と、第２側板２２と、第２底板２３と、を有する。後板２１は、バッテリーユニット５０の後方に配置される。後板２１には、液晶板（不図示）が取り付けられる。第２側板２２は、撮影時にユーザの左手で把持される。第２底板２３は、第２内面２３Ａと第２凹部２３Ｂとを有する。第２内面２３Ａは、第１内面１３Ａと同様に、筐体１の内部に形成される収容室の底面を形成する。第２凹部２３Ｂは、第１凹部１３Ｂと同様に、平面視において半円状に形成される切り欠きである。第２凹部２３Ｂは、脚座５３４（図３参照）の下端部に嵌め合わせられる。
【００１８】
上カバー３０は、バッテリーユニット５０に組み込まれる。なお、図２において、上カバー３０は省略されている。
【００１９】
マウントユニット４０は、マウント４１と、撮像素子４２とを有する。マウント４１は、交換レンズ３を支持する。撮像素子４２は、撮影時に交換レンズ３を通過した光を受ける。
【００２０】
バッテリーユニット５０は、バッテリーケース５１と、コンデンサ５２と、第１フレーム５３（「内蔵部材」の一例）と、第２フレーム５４と、を有する。バッテリーケース５１は、バッテリー（不図示）を収納する。コンデンサ５２は、ストロボ（不図示）を点灯する際の電荷を蓄積する。第２フレーム５４は、第１側板１２と第２側板２２を固定するための板状の部材である。第１フレーム５３は、板状の部材であり筐体１に内蔵される。また、第１フレーム５３は、第１内面１３Ａ及び第２内面２３Ａに沿って配置される。
【００２１】
基板ユニット６０は、デジタルカメラ１００における主な電気的処理を行う。
【００２２】
ここで、図３は、実施形態に係るデジタルカメラ１００の底面図である。
【００２３】
図３に示すように、前カバー１０（具体的には、第１底板１３）と後カバー２０（具体的には、第２底板２３）は、脚座５３４を前後から挟み込むように突き合わされる。そのため、第１凹部１３Ａと第２凹部２３Ｂは、それぞれ脚座５３４の外周を二等分する半円状となる必要がある（図２参照）。また外観上の理由から、第１側板１２と第２側板２２は、前板１１及び後板２１から等距離の位置において当接されることが望ましい。これらの条件を満たすために、第１底板１３には平面視において後方に向かって突出する突出部１３Ｃが形成されるとともに、第２底板２３には平面視において後方に向かって凹む窪み部２３Ｃが形成される。
【００２４】
突出部１３Ｃと窪み部２３Ｃに加工上のバラつきが生じた場合、突出部１３Ｃと窪み部２３Ｃとが接触（干渉）するため、第１側板１２と第２側板２２の間に段差が生じ、外観上好ましくない。そのため、加工上のバラつきを考慮し、第１底板１３と第２底板２３の間には、あらかじめ隙間Ｑが形成されている。前カバー１０と後カバー２０は、隙間Ｑを挟み込むように突き合わされる。本実施形態において、隙間Ｑは、デジタルカメラ１００の左右方向及び前後方向のそれぞれと交差する長手方向に沿って形成されている。
【００２５】
（第１フレーム５３の構成）
実施形態に係る第１フレーム５３の構成について、図面を参照しながら説明する。図４は、第１フレーム５３を反対面側から見た斜視図である。図５は、第１フレーム５３を対向面側から見た斜視図である。なお、以下においては、第１フレーム５３が、筐体１内に配置されているものとして説明する。
【００２６】
第１フレーム５３（「内蔵部材」の一例）は、フレーム部５３１と、コンデンサ取付け部５３２と、第２フレーム取付け部５３３と、脚座５３４と、を有する。
【００２７】
フレーム部５３１は、対向面５３１Ａと、反対面５３１Ｂと、Ｖ溝５３１Ｃ（「反射部」の一例）と、を有する。対向面５３１Ａは、第１内面１３Ａおよび第２内面２３Ａに対向する。Ｖ溝５３１Ｃは、上下方向において隙間Ｑと対向する。Ｖ溝５３１Ｃは、対向面５３１Ａに垂直な方向から見て、隙間Ｑに沿って形成されている。Ｖ溝５３１Ｃは、フレーム部５３１に凹み加工を施すことによって形成される。
【００２８】
コンデンサ取付け部５３２は、コンデンサ５２が固定される箇所である。
【００２９】
第２フレーム取付け部５３３は、フレーム部５３１に対し垂直であり、第２フレーム５４に接続される。
【００３０】
脚座５３４は、筐体１を支持する脚部材（不図示）を装着するための筒状部材である。脚座５３４は、脚部材が挿入される挿入孔Ｐを有する。脚座５３４は、第１フレーム５３と一体成型されている。
【００３１】
（第１フレーム５３と隙間Ｑとの位置関係）
実施形態に係る第１フレーム５３と隙間Ｑとの位置関係について、図面を参照しながら説明する。図６は、図３のＡ−Ａ切断線における断面図である。図７は、図３の部分拡大図である。
【００３２】
図６に示すように、前カバー１０の第１内面１３Ａと後カバー２０の第２内面２３Ａは、隙間Ｑを介して同一平面上で連なる。
【００３３】
Ｖ溝５３１Ｃは、第１斜面Ｓ１と第２斜面Ｓ２（それぞれ、「斜面」の一例）を有する。Ｖ溝５３１Ｃは、隙間Ｑから入射する光を筐体１内部に向けて反射する。すなわち、第１斜面Ｓ１あるいは第２斜面Ｓ２に入射した光は、第１内面１３Ａあるいは第２内面２３Ａに向かって反射される。
【００３４】
本実施形態では、寸法のバラつきによる隙間Ｑの位置のずれを考慮して、隙間Ｑの短手方向（隙間Ｑの長手方向に直交する方向）において、Ｖ溝５３１Ｃの幅Ｌ１は、隙間Ｑの幅Ｌ２よりも大きい。また、Ｖ溝５３１Ｃは、対向面５３１Ａに垂直かつ短手方向に沿った断面において、隙間Ｑの全体と上下方向で重なっている。すなわち、Ｖ溝５３１Ｃは、短手方向において、隙間Ｑの全域をカバーするように形成されている。なお、隙間Ｑの幅Ｌ１は、上下方向における前カバー１０及び後カバー２０の厚さＬ３よりも小さく、Ｖ溝５３１Ｃの幅Ｌ１は、上下方向におけるＶ溝５３１Ｃの深さＬ４よりも大きい。
【００３５】
また、図７に示すように、隙間Ｑの長手方向において、Ｖ溝５３１Ｃの長さＨ１は、隙間Ｑの長さＨ２よりも大きい。また、Ｖ溝５３１Ｃは、対向面５３１Ａに垂直かつ長手方向に沿った断面において、隙間Ｑの全体と上下方向で重なっている。すなわち、Ｖ溝５３１Ｃは、長手方向において、隙間Ｑの全域をカバーするように形成されている。
【００３６】
（作用及び効果）
（１）実施形態に係るデジタルカメラ１００おいて、第１フレーム５３（「内蔵部材」の一例）は、対向面５３１Ａに対して傾斜するとともに隙間Ｑに対向する第１斜面Ｓ１及び第２斜面Ｓ２（それぞれ、「斜面」の一例）を有するＶ溝５３１Ｃ（「反射部」の一例）を有する。
【００３７】
そのため、隙間Ｑを介して筐体１の内部に入射する光を第１斜面Ｓ１及び第２斜面Ｓ２で反射することによって、筐体１の外部に光が出射することを抑制できる。このように、隙間Ｑから筐体１の内部に入射する光を筐体１の内部に閉じこめることによって、外部から隙間Ｑを介して第１フレーム５３が見えることを抑制できるので、デジタルカメラ１００の外観品質を向上することができる。
【００３８】
（２）Ｖ溝５３１Ｃは、対向面５３１Ａに対して凹んでいる。従って、例えばプレス加工によって第１フレーム５３を作製する際にＶ溝５３１Ｃを同時に形成できるので、製造工程数が増加することを抑制できる。
【００３９】
（３）Ｖ溝５３１Ｃは、対向面５３１Ａに垂直な方向から見て、隙間Ｑに沿って形成されている。従って、Ｖ溝５３１Ｃが隙間Ｑと交差するように形成されている場合に比べて、筐体１の外部に光が出射することをより抑制することができる。
【００４０】
（４）隙間Ｑの短手方向におけるＶ溝５３１Ｃの幅Ｌ１は、短手方向における隙間Ｑの幅Ｌ２よりも大きい。従って、Ｖ溝５３１Ｃの幅Ｌ１が隙間Ｑの幅Ｌ２よりも小さい場合に比べて、筐体１の外部に光が出射することをより抑制することができる。
【００４１】
（５）Ｖ溝５３１Ｃは、対向面５３１Ａに垂直かつ隙間Ｑの短手方向に沿った断面において、隙間Ｑの全体と対向面５３１Ａに垂直な方向で重なっている。従って、短手方向において、Ｖ溝５３１Ｃの一部のみが隙間Ｑと重なる場合に比べて、筐体１の外部に光が出射することをより抑制することができる。
【００４２】
（６）隙間Ｑの長手方向におけるＶ溝５３１Ｃの長さＨ１は、長手方向における隙間Ｑの長さＨ２よりも大きい。従って、Ｖ溝５３１Ｃの長さＨ１が隙間Ｑの長さＨ２よりも小さい場合に比べて、筐体１の外部に光が出射することをより抑制することができる。
【００４３】
（７）Ｖ溝５３１Ｃは、対向面５３１Ａに垂直かつ隙間Ｑの長手方向に沿った断面において、隙間Ｑの全体と対向面５３１Ａに垂直な方向で重なっている。従って、長手方向において、Ｖ溝５３１Ｃの一部のみが隙間Ｑと重なる場合に比べて、筐体１の外部に光が出射することをより抑制することができる。
【００４４】
（８）第１フレーム５３は、筐体１を支持する脚部材を装着するための脚座５３４を有する。このように、脚座５３４を有する第１フレーム５３は、脚部材を固定するために十分な強度を有している必要があるので、隙間Ｑを避けるように設計することは困難である。そのため、第１フレーム５３が隙間Ｑと対向する場合が多いので、このような第１フレーム５３にＶ溝５３１Ｃを形成することによりＶ溝５３１Ｃの効果が得られやすい。
【００４５】
（９）第１フレーム５３は、第１内面１３Ａ及び第２内面２３Ａに沿って配置される板状のフレームである。このような板状のフレームは、筐体１の形状を維持するために十分な強度を有している必要があるので、隙間Ｑを避けるように設計することは困難である。そのため、第１フレーム５３が隙間Ｑと対向する場合が多いので、このような第１フレーム５３にＶ溝５３１Ｃを形成することによりＶ溝５３１Ｃの効果が得られやすい。
【００４６】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００４７】
（Ａ）上記実施形態において、筐体１は、前カバー１０、後カバー２０及び上カバー３０の３つのカバーによって構成されることとしたが、これに限られるものではない。筐体１は、２つ又は４つ以上のカバーによって構成されていてもよい。
【００４８】
（Ｂ）上記実施形態において、隙間Ｑは、前カバー１０と後カバー２０との間に形成されることとしたが、これに限られるものではない。隙間Ｑは、前カバー１０又は後カバー２０と上カバー３０との間に形成されてもよい。
【００４９】
（Ｃ）上記実施形態において、Ｖ溝５３１Ｃは、第１フレーム５３に形成されることとしたが、これに限られるものではない。例えば、バッテリーケース５１が隙間Ｑと対向する場合には、Ｖ溝５３１Ｃは、バッテリーケース５１の表面に形成されていればよい。この場合、バッテリーケース５１が「内蔵部材」となる。
【００５０】
（Ｄ）上記実施形態において、Ｖ溝５３１Ｃの第１斜面Ｓ１と第２斜面Ｓ２とは、隙間Ｑの短手方向において互いに対称に形成されることとしたが、これに限られるものではない。例えば、図８に示すように、Ｖ溝５３１Ｃの第１斜面Ｓ１と第２斜面Ｓ２とは、隙間Ｑの短手方向において互いに非対称に形成されていてもよい。
【００５１】
（Ｅ）上記実施形態では、「反射部」の一例としてＶ溝５３１Ｃについて説明したが、図９に示すように、Ｖ溝５３１Ｃに代えて凸部５３４が形成されていてもよい。凸部５３４は、対向面５３１Ａに対して傾斜する第３斜面Ｓ３と第４斜面Ｓ４とを有している。
【００５２】
（Ｆ）上記実施形態では、「反射部」の一例としてＶ溝５３１Ｃについて説明したが、図１０に示すように、Ｖ溝５３１Ｃに代えて複数の凸部５３５と複数の凹部５３６とが形成されていてもよい。この場合、各凸部５３５と各凹部５３６とによって第１斜面Ｓ１と第２斜面Ｓ２とが形成される。なお、各凸部５３５と各凹部５３６のそれぞれは、隙間Ｑの長手方向に沿って連続的に形成されてもよいし、隙間Ｑの長手方向に沿って断続的に形成されていてもよい。
【００５３】
（Ｇ）上記実施形態では、隙間Ｑの短手方向において、Ｖ溝５３１Ｃの幅Ｌ１は、隙間Ｑの幅Ｌ２よりも大きいこととしたが、これに限られるものではない。図１１に示すように、Ｖ溝５３１Ｃの幅Ｌ１は、隙間Ｑの幅Ｌ２よりも小さくてもよい。
【００５４】
（Ｈ）上記実施形態において、Ｖ溝５３１Ｃは、対向面５３１Ａに垂直かつ短手方向に沿った断面において、隙間Ｑの全体と上下方向で重なることとしたが、これに限られるものではない。図１２に示すように、Ｖ溝５３１Ｃは、隙間Ｑの一部のみと上下方向で重なっていてもよい。
【００５５】
（Ｉ）上記実施形態において、隙間Ｑの長手方向において、Ｖ溝５３１Ｃの長さＨ１は、隙間Ｑの長さＨ２よりも大きいこととしたが、これに限られるものではない。Ｖ溝５３１Ｃの長さＨ１は、隙間Ｑの長さＨ２より小さくてもよい。
【００５６】
（Ｊ）上記実施形態において、Ｖ溝５３１Ｃは、対向面５３１Ａに垂直かつ長手方向に沿った断面において、隙間Ｑの全体と上下方向で重なることとしたが、これに限られるものではない。図１２に示すように、Ｖ溝５３１Ｃは、対向面５３１Ａに垂直かつ長手方向に沿った断面において、隙間Ｑの一部のみと上下方向で重なっていてもよい。
【００５７】
（Ｋ）上記実施形態において、Ｖ溝５３１Ｃの第１斜面Ｓ１と第２斜面Ｓ２とは、平面状に形成されることとしたが、これに限られるものではない。第１斜面Ｓ１と第２斜面Ｓ２とは、曲面状あるいは波面状などに形成されていてもよい。
【００５８】
（Ｌ）上記実施形態において、Ｖ溝５３１Ｃは、第１斜面Ｓ１と第２斜面Ｓ２の２つの「斜面」を有することしたが、これに限られるものではない。Ｖ溝５３１Ｃは、１つ又は３つ以上の斜面を有していてもよい。
【００５９】
（Ｍ）上記実施形態において、隙間Ｑは、加工バラつきを吸収するために意図的に形成されることとしたが、加工バラつきによって意図せず形成されるものであってもよい。この場合、隙間Ｑが、前カバー１０と後カバー２０との境界全域に渡って形成されていれば、Ｖ溝５３１Ｃを、前カバー１０と後カバー２０との境界全域に対応するように形成してもよい。
【００６０】
（Ｎ）上記実施形態では、「撮像装置」の一例としてデジタルカメラ１００を挙げて説明したが、「撮像装置」としてはビデオカメラなどが挙げられる。
【００６１】
（Ｏ）上記実施形態では、隙間Ｑを介して筐体１の内部に入射する光を筐体１の内部に閉じこめることができる「筐体構造」を「撮像装置」に適用する場合について説明したが、このような「筐体構造」は、「撮像装置」に限らず、テレビ、DVDレコーダー、ICレコーダーなどの種々の「電子機器」に適用することができる。
【００６２】
このように、本発明はここでは記載していない様々な実施形態等を含むことは勿論である。従って、本発明の技術的範囲は上記の説明から妥当な特許請求の範囲に係る発明特定事項によってのみ定められるものである。
【産業上の利用可能性】
【００６３】
本発明によれば、外観品質を向上可能な筐体構造及び撮像装置を提供できるので、電子機器分野に利用可能である。
【符号の説明】
【００６４】
１００…デジタルカメラ
１…筐体
２…シャッターボタン
３…レンズ
１０…前カバー
１１…前板
１２…第１側板
１３…第１底板
２０…後カバー
２１…後板
２２…第２側板
２３…第２底板
３０…上カバー
４０…マウントユニット
４１…マウント
４２…撮像素子
５０…バッテリーユニット
５１…バッテリーカバー
５２…コンデンサ
５３…第１フレーム
５３１…フレーム部
５３１Ａ…対向面
５３１Ｂ…反対面
５３１Ｃ…Ｖ溝
５３２…コンデンサ取付け部
５３３…第２フレーム取付け部
５３４…脚座
５３５…凸部
５３６…凹部
５４…第２フレーム
６０…基板ユニット
６１…基板
６２…ＣＰＵ
６３…スロット
Ｐ…挿入孔
Ｑ…隙間
【図１】
2012133304.tif 000003
【図２】
2012133304.tif 000004
【図３】
2012133304.tif 000005
【図４】
2012133304.tif 000006
【図５】
2012133304.tif 000007
【図６】
2012133304.tif 000008
【図７】
2012133304.tif 000009
【図８】
2012133304.tif 000010
【図９】
2012133304.tif 000011
【図１０】
2012133304.tif 000012
【図１１】
2012133304.tif 000013
【図１２】
2012133304.tif 000014